【手続補正書】
【提出日】平成24年6月7日(2012.6.7)
【手続補正１】
【補正対象書類名】明細書
【補正対象項目名】００１１
【補正方法】変更
【補正の内容】
【００１１】
式中、
nは、数0〜4であり、好ましくは0〜2であり、特にゼロであり、そして
Xは、OH、F、Cl、Br、CN、CF3、ニトロ、C1-C8-アルキル、C5-C7-シクロアルキル、C2-C8-アルケニル、C1-C8-アルコキシ、フェニルまたはベンジルであることを特徴とする、式(I)および(II) の化合物の2成分顔料組成物を提供する。
【手続補正２】
【補正対象書類名】明細書
【補正対象項目名】００３３
【補正方法】変更
【補正の内容】
【００３３】
式中、
Qは、ペリノン顔料、キナクリドン顔料、キナクリドンキノン顔料、アンタントロン顔料、インダントロン顔料、ジオキサン顔料、例えばトリフェンジオキサン、ジケトピロロピロール顔料、インジゴ顔料、チオインジゴ顔料、チアジンインジゴ顔料、イソインドリン顔料、イソインドリノン顔料、ピラントロン顔料、イソビオラントロン顔料、フラバントロン顔料またはアントラピリミジン顔料の群からの有機顔料の残基であり;
sは、数1〜5であり、好ましくは 1〜3であり;
nは、数0〜4であり、好ましくは 0.1〜2であり; s および nの総計は、1〜5であり、そしてsは、nより大きく;
R30は、炭素原子を1〜20個有する、枝分かれしたもしくは枝なしの、飽和もしくは不飽和の、脂肪族ヒドロカルビルラジカルであるか、またはC5-C7-シクロアルキルラジカルであるか、または芳香族環を1、2または3個有する芳香族脂肪族または芳香族ラジカルであり、環は、縮合されるかまたは結合によって結び付けられる可能性があるか、あるいはO、NおよびSからなる群よりのヘテロ原子を1、2、3または4個含有する環を1、2または3個有する複素環式ラジカル、またはそれらの組合せであり; ここで、上述したヒドロカルビル、シクロアルキル、芳香族、芳香族脂肪族(araliphatic)および複素環式芳香族ラジカルは、OH、CN、F、Cl、Br、NO2、CF3、C1-C6-アルコキシ、S-C1-C6-アルキル、NHCONH2、NHC(NH)NH2、NHCO-C1-C6-アルキル、C1-C6-アルキル、COOR5、CONR5R6、NR5R6、SO3R5、SO2-NR5R6、SO3-E+およびCOO-E+、（式中、R5およびR6は、 同じであるかまたは異なりそして各々水素、フェニルまたはC1-C6-アルキルである）からなる群よりの置換基1、2、3または4個で置換されてもよい;
R40は、水素またはR30であり;
E+, G+は、独立してH+または周期表の第1〜第5 主族からのまたは第1 または 第2 または 第4〜第8 遷移族からのMp+/m当量の金属カチオンMp+（式中、mは数1、2または3の内の１つでありそして pは1、2または3である）であり;
または置換されたまたは非置換のアンモニウムイオンである。
【手続補正３】
【補正対象書類名】明細書
【補正対象項目名】００３４
【補正方法】変更
【補正の内容】
【００３４】
式(4)の好適な顔料分散剤では、 
Qは、キナクリドン、ジオキサンまたはジケトピロロピロール顔料の群からの有機顔料の残基であり;
R30は、 C1-C6-アルキル、ベンジル、フェニルであり、これらは、各々OH、C1-C6-アルコキシ、S-C1-C6-アルキル、NHCONH2、NHC(NH)NH2、NHCO-C1-C6-アルキル、C1-C6-アルキル、CONR5R6およびNR5R6（式中、R5およびR6は、 同じであるかまたは異なりそして水素、フェニルまたはC1-C6-アルキルである）からなる群よりの置換基1、2、3または4個で置換されてよい;
R40は、水素であり、
G+は、水素、アルカリ金属またはアンモニウムイオンである。
式(4)の特に好適な顔料分散剤では、 
Qは、ジケトピロロピロール顔料の群からの有機顔料、好ましくはC.I. Pigment Red 255または264, あるいはキナクリドン顔料の群からの有機顔料、好ましくはC.I. Pigment Violet 19 またはPigment Red 122の残基であり;
R30は、C1-C6-アルキルであり、これはNR5R6（式中、R5およびR6は、 同じであるかまたは異なりそして各々水素、フェニルまたはC1-C6-アルキルである）で置換され;
R40は、水素であり、
G+は、水素、Li、Na、K またはアンモニウムイオンである。
【手続補正４】
【補正対象書類名】明細書
【補正対象項目名】００３８
【補正方法】変更
【補正の内容】
【００３８】
式中、
R1は、芳香族環を1、2または3個有する芳香族ラジカルであり、環は、縮合されるかまたは結合によって結び付けられる可能性があるか、あるいはO、NおよびSからなる群よりのヘテロ原子を1、2、3または4個含有する環を1、2または3個有する複素環式ラジカルであり; またはそれらの組合せであり;
ここで、上述した芳香族および複素環式芳香族ラジカルは、OH、CN、F、Cl、Br、NO2、CF3、C1-C6-アルコキシ、S-C1-C6-アルキル、NHCONH2、NHC(NH)NH2、NHCO-C1-C6-アルキル、C1-C6-アルキル、COOR5、CONR5R6、NR5R6、SO3R5、SO2-NR5R6およびCOO-E+（式中、R5およびR6は、 同じであるかまたは異なりそして各々水素、フェニルまたはC1-C6-アルキルでありそしてE+は、水素、リチウム、ナトリウム、カリウム、ルビジウム、セシウムまたは非置換のアンモニウムイオンである）からなる群よりの置換基1、2、3または4個で置換されてもよい;
Yは、SO3― E+または Z-SO3― E+（式中、 Zは、C1-C10-アルキレンまたはフェニレンである）であり;
nは、数1、2または3であり;
R2は、-OR8 または -NHR8
（式中、R8は、H、C1-C6-アルキル、ベンジル、芳香族環を1、2または3個有する芳香族ラジカルであり、環は、縮合されるかまたは結合によって結び付けられる可能性があるか、あるいはO、NおよびSからなる群よりのヘテロ原子を1、2、3または4個含有する環を1、2または3個有する複素環式ラジカルであり; またはそれらの組合せである）であり；
ここで、上述した芳香族および複素環式ラジカルは、各々OH、C1-C6-アルコキシ、S-C1-C6-アルキル、F、Cl、Brのようなハロゲン、NHCONH2、NHC(NH)NH2、NHCO-C1-C6-アルキル、C1-C6-アルキル、ニトロ、COOR5、CONR5R6、SO3R5、SO2-NR5R6、NR９R１０、SO3-E+およびCOO-E+（式中、R5 およびR6は、 同じであるかまたは異なりそして各々水素、フェニルまたはC1-C6-アルキルであり； R9および R10は、 同じであるかまたは異なりそして各々水素、フェニルまたはC1-C6-アルキルである）からなる群よりの置換基1、2、3または4個で置換されてもよい；
R3 および R4は、各々芳香族環を1、2または3個有する芳香族ラジカルであり、環は、縮合されるかまたは結合によって結び付けられる可能性があるか、あるいはO、NおよびSからなる群よりのヘテロ原子を1、2、3または4個含有する環を1、2または3個有する複素環式ラジカルであり; またはそれらの組合せであり; 
ここで、上述した芳香族および複素環式芳香族ラジカルは、各々OH、C1-C6-アルコキシ、S-C1-C6-アルキル、F、Cl、Brのようなハロゲン、NHCONH2、NHC(NH)NH2、NHCO-C1-C6-アルキル、C1-C6-アルキル、ニトロ、COOR5、CONR5R6、SO3R5、SO2-NR5R6、NR９R１０、SO3-E+およびCOO-E+（式中、R5 およびR6は、 同じであるかまたは異なりそして各々水素、フェニルまたはC1-C6-アルキルであり； R9および R10は、 同じであるかまたは異なりそして各々水素、フェニルまたはC1-C6-アルキルである）からなる群よりの置換基1、2、3または4個で置換されてもよい。
【手続補正５】
【補正対象書類名】明細書
【補正対象項目名】００６４
【補正方法】変更
【補正の内容】
【００６４】
式(4)の顔料分散剤の割合は、式(I)および(II)の化合物の使用する混合物に基づいて、0%〜30重量%であるのが好ましくおよび1%〜25重量%であるのが一層好ましい。 
【手続補正６】
【補正対象書類名】明細書
【補正対象項目名】００６５
【補正方法】変更
【補正の内容】
【００６５】
モノアゾ染料の割合は、式(I)および(II)の化合物の使用する混合物に基づいて、0%〜30重量%であるのが好ましくおよび1%〜25重量%であるのが一層好ましい。 
【手続補正７】
【補正対象書類名】明細書
【補正対象項目名】００９９
【補正方法】変更
【補正の内容】
【００９９】
得られた顔料組成物は、メジアン粒径d50= 30 nmおよびd95値45 nmを有し、標準偏差σは11 nmである。
【手続補正８】
【補正対象書類名】明細書
【補正対象項目名】０１０８
【補正方法】変更
【補正の内容】
【０１０８】
得られた顔料組成物は、メジアン粒径d50= 29 nmおよびd95値43 nmを有し、標準偏差σは12 nmである。
【手続補正９】
【補正対象書類名】特許請求の範囲
【補正対象項目名】請求項１
【補正方法】変更
【補正の内容】
【請求項１】
メジアン粒径 d50が10〜60 nmであり、70 nmより大きい粒子が5容量%より少なく、
式 (I)の化合物対式 (II) の化合物の質量比が99.5:0.5〜80:20である、
【化１】
2010047748.tif 000001
（式中、
nは、数0〜4であり；そして
Xは、OH、F、Cl、Br、CN、CF3、ニトロ、C1-C8-アルキル、C5-C7-シクロアルキル、C2-C8-アルケニル、C1-C8-アルコキシ、フェニルまたはベンジルである）
ことを特徴とする、式(I)および(II) の化合物の2成分顔料組成物。
【手続補正１０】
【補正対象書類名】特許請求の範囲
【補正対象項目名】請求項７
【補正方法】変更
【補正の内容】
【請求項７】
分散剤が、式 (4)の化合物および/またはレーキされていないスルホ含有モノアゾ染料の群：
【化２】
2010047748.tif 000002
（式中、
Qは、ペリノン顔料、キナクリドン顔料、キナクリドンキノン顔料、アンタントロン顔料、インダントロン顔料、ジオキサン顔料、ジケトピロロピロール顔料、インジゴ顔料、チオインジゴ顔料、チアジンインジゴ顔料、イソインドリン顔料、イソインドリノン顔料、ピラントロン顔料、イソビオラントロン顔料、フラバントロン顔料またはアントラピリミジン顔料の群からの有機顔料の残基であり;
sは、数1〜5であり;
nは、数0〜4であり; s および nの総計は、1〜5であり、そしてsは、nより大きく;
R30は、炭素原子を1〜20個有する、枝分かれしたもしくは枝なしの、飽和もしくは不飽和の、脂肪族ヒドロカルビルラジカルであるか、またはC5-C7-シクロアルキルラジカルであるか、または芳香族環を1、2または3個有する芳香族脂肪族または芳香族ラジカルであり、環は、縮合されるかまたは結合によって結び付けられる可能性があるか、あるいはO、NおよびSからなる群よりのヘテロ原子を1、2、3または4個含有する環を1、2または3個有する複素環式ラジカル、またはそれらの組合せであり; ここで、上述したヒドロカルビル、シクロアルキル、芳香族、芳香族脂肪族および複素環式芳香族ラジカルは、OH、CN、F、Cl、Br、NO2、CF3、C1-C6-アルコキシ、S-C1-C6-アルキル、NHCONH2、NHC(NH)NH2、NHCO-C1-C6-アルキル、C1-C6-アルキル、COOR5、CONR5R6、NR5R6、SO3R5、SO2-NR5R6、SO3-E+およびCOO-E+（式中、R5およびR6は、 同じであるかまたは異なりそして各々水素、フェニルまたはC1-C6-アルキルである）からなる群よりの置換基1、2、3または4個で置換されてよい;
R40は、水素またはR30であり;
E+, G+は、独立してH+または周期表第1〜第5 主族からのまたは第1 または 第2 または 第4〜第8 遷移族からのMp+/m当量の金属カチオンMp+（式中、mは数1、2または3の内の１つでありそして pは1、2または3である）であり;
または置換されたまたは非置換のアンモニウムイオンである）
からの顔料分散剤である、請求項6記載の顔料組成物。
【手続補正１１】
【補正対象書類名】特許請求の範囲
【補正対象項目名】請求項９
【補正方法】変更
【補正の内容】
【請求項９】
レーキされていないスルホ含有モノアゾ染料が、式 (Va)、(Vb)、(VI)または(VII) の化合物 
【化３】
2010047748.tif 000003
（式中、
R1は、芳香族環を1、2または3個有する芳香族ラジカルであり、環は、縮合されるかまたは結合によって結び付けられる可能性があるか、あるいはO、NおよびSからなる群よりのヘテロ原子を1、2、3または4個含有する環を1、2または3個有する複素環式ラジカル; またはそれらの組合せであり;
ここで、上述した芳香族および複素環式芳香族ラジカルは、OH、CN、F、Cl、Br、NO2、CF3、C1-C6-アルコキシ、S-C1-C6-アルキル、NHCONH2、NHC(NH)NH2、NHCO-C1-C6-アルキル、C1-C6-アルキル、COOR5、CONR5R6、NR5R6、SO3R5、SO2-NR5R6およびCOO-E+（式中、R5およびR6は、 同じであるかまたは異なりそして各々水素、フェニルまたはC1-C6-アルキルでありそしてE+は、水素、リチウム、ナトリウム、カリウム、ルビジウム、セシウムまたは非置換のアンモニウムイオンである）からなる群よりの置換基1、2、3または4個で置換されてよい;
Yは、SO3―E+または Z-SO3― E+、（式中、 Zは、C1-C10-アルキレンまたはフェニレンである）であり;
nは、数1、2または3であり;
R2は、-OR8 または -NHR8
（式中、R8 は、H、C1-C6-アルキル、ベンジル、芳香族環を1、2または3個有する芳香族ラジカルであり、環は、縮合されるかまたは結合によって結び付けられる可能性があるか、あるいはO、NおよびSからなる群よりのヘテロ原子を1、2、3または4個含有する環を1、2または3個有する複素環式ラジカル; またはそれらの組合せである）であり；
ここで、上述した芳香族および複素環式芳香族ラジカルは、各々OH、C1-C6-アルコキシ、S-C1-C6-アルキル、F、Cl、Brのようなハロゲン、NHCONH2、NHC(NH)NH2、NHCO-C1-C6-アルキル、C1-C6-アルキル、ニトロ、COOR5、CONR5R6、SO3R5、SO2-NR5R6、NR９R１０、SO3-E+およびCOO-E+（式中、R5およびR6は、 同じであるかまたは異なりそして各々水素、フェニルまたはC1-C6-アルキルであり； R9および R10は、同じであるかまたは異なりそして各々水素、フェニルまたはC1-C6-アルキルである）からなる群よりの置換基1、2、3または4個で置換されてよい；
R3 および R4は、各々芳香族環を1、2または3個有する芳香族ラジカルであり、環は、縮合されるかまたは結合によって結び付けられる可能性があるか、あるいはO、NおよびSからなる群よりのヘテロ原子を1、2、3または4個含有する環を1、2または3個有する複素環式ラジカル; またはそれらの組合せであり; 
ここで、上述した芳香族および複素環式芳香族ラジカルは、各々OH、C1-C6-アルコキシ、S-C1-C6-アルキル、F、Cl、Brのようなハロゲン、NHCONH2、NHC(NH)NH2、NHCO-C1-C6-アルキル、C1-C6-アルキル、ニトロ、COOR5、CONR5R6、SO3R5、SO2-NR5R6、NR９R１０、SO3-E+およびCOO-E+（式中、R5およびR6は、 同じであるかまたは異なりそして各々水素、フェニルまたはC1-C6-アルキルであり； R9および R10は、同じであるかまたは異なりそして各々水素、フェニルまたはC1-C6-アルキルである）からなる群よりの置換基1、2、3または4個で置換されてよい。）
である、請求項7または８記載の顔料組成物。